(57)【要約】      （修正有）【課題】着脱によって跡が目立たず、紛失困難でお洒落な留め具を提供する。【解決手段】第一片と第二片とを連結具を介して繋げ、一方に永久磁石を備え、もう一方に永久磁石に吸着する吸着体を備え、どちらか一方にバッグ固定手段を備えた構造とする。【選択図】図２
0003179745.tif 000002
【実用新案登録請求の範囲】
【請求項１】
開口式バッグの開口部を挟むための着脱可能な留め具であって、一方に永久磁石を備えた第一片と、もう一方に永久磁石に吸着する吸着体を備えた第二片とが、連結部を介して繋がっていることを特徴とする留め具。
【請求項２】
前記永久磁石に吸着する吸着体が、クリップ構造であることを特徴とする請求項１に記載の留め具。
【請求項３】
前記永久磁石に吸着する吸着体は、クリップに取付けられていることを特徴とする請求項１に記載の留め具。
【請求項４】
前記永久磁石が、クリップ構造であることを特徴とする請求項１に記載の留め具。
【請求項５】
前記永久磁石は、クリップに取付けられていることを特徴とする請求項１に記載の留め具。
【請求項６】
前記永久磁石に吸着する吸着体は、鉄、コバルト、ニッケル等の金属、ステンレス等の合金、又は永久磁石の内、何れかであることを特徴とする請求項１乃至請求項５のいずれか１項に記載の留め具。
【考案の詳細な説明】
【技術分野】
【０００１】
本考案は、開口式バッグの開口部を挟持する留め具に関するものである。
【背景技術】
【０００２】
従来、開口部が開けっ放しのバッグは、その上部を閉める手段として、ピン留めを利用するか、業務用反発性クリップで開口部の一部を挟む手段がとられてきた。また、あらかじめ開口部の両端に磁石付きクリップをそれぞれ取り付けておき、両クリップを近づけることで、バッグの口を自在に開閉することができるように考えられたものが知られている。
【特許文献１】特開２０１０−２８４４７７
【考案の開示】
【考案が解決しようとする課題】
【０００３】
しかしながら、ピン留めや業務用反発性クリップは、共通してお洒落ではない。
ピン留めは、バックが革製であれば、穴を開けることで傷つけてしまうことになり、また針先で自分の手を誤って刺してしまう危険が生じてしまう。
一方、業務用反発性クリップは、挟んだ状態でクリップの一部が開口部を強く押圧しているため、クリップを外すとバッグ側に挟んだ跡が食い込むように残ることがあった。
【０００４】
また、開示発明は、どちらかのクリップが取れて無くなれば、その機能を有しなくなる危険があった。
【０００５】
本考案は、上記問題を解決するため成されたもので、着脱によって跡が目立たず、紛失困難でお洒落な留め具を提供する。
【課題を解決するための手段】
【０００６】
第一片と第二片とを連結具を介して繋げ、一方に永久磁石を備え、もう一方に永久磁石に吸着する吸着体を備え、どちらか一方にバッグ固定手段を備えた構造とする。
【考案の効果】
【０００７】
本考案によれば、バッグの口を自在に開閉することができ、バッグ側に固定できるため、誤って紛失する心配もなく、また、ワンポイントアクセサリーとしてバッグに使用できる。
【考案を実施するための最良の形態】
【０００８】
第一片と第二片とを連結具を介して繋げ、一方に永久磁石を備え、もう一方に永久磁石に吸着する吸着体を備え、どちらか一方にバッグ固定手段を備えた構造とする。
【実施例１】
【０００９】
以下、図面を参照して本考案に係る留め具の実施例を説明する。図１は、本考案に係る使用例である。図２は、本考案に係る内側の構造を示す図である。また、図３は、本考案に係る構造を側面から示す別態様の図である。図４は、本考案に係る内側の構造を示す図である。また、図５は、本考案に係る構造を側面から示す別態様の図である。
【００１０】
本実施形態の留め具７は、図２及び図３に示すように、第一片１と第二片２が連結部５を介して連結されて構成されている。
【００１１】
このうち、第一片１と第二片２には、任意のキャラクター（うさぎ）形状のアウトラインを模った合成皮革を使用する。本実施例のキャラクター形状に限らず、ハート形、四角形、乗り物、建物、植物、人物等どのようなモチーフを模ったものでも構わない。
【００１２】
ただし、合成皮革に限定するものではなく、本皮を使用しても、樹脂素材、木材、金属等を利用しても構わない。
【００１３】
そして、第一片１である合成皮革の外側にはキャラクターの図柄等を印刷やエンボス加工で施し、内部には、図２及び図３のように、第一片１と第二片２とを重ねあわせた状態で、後述する第二片２側に設けた永久磁石に吸着する吸着体６と対面になる位置に永久磁石４を埋設する。
【００１４】
埋設した結果、磁力が弱くなる場合は、図の２のように埋設した部分が一部見えるように、開口しても構わない。場合によっては、埋設せずに永久磁石４を取り付けても良い。
【００１５】
次に、第二片２の外側には、キャラクターの図柄等を印刷やエンボス加工で施し、内側には、図２及び図３のようにバッグの一端に挟んで固定する板上のクリップ構造３を備え、更に前記クリップ構造３の一部分に永久磁石に吸着する吸着体６を取り付ける。
【００１６】
ここで永久磁石に吸着する吸着体６とは、一般には鉄、コバルト、ニッケル等の金属やステンレス等の合金、もしくはそれ自体が永久磁石のことであり、本実施内容に適した大きさ、形状、厚さ、磁力とする。
【００１７】
よって、磁力を更に強めるため、永久磁石に吸着する吸着体６自体も永久磁石であっても構わない。
【００１８】
また、バッグの一端に挟んで固定するクリップ構造３に使用する素材は、取り付けた永久磁石に吸着する吸着体４が簡単に外れず、相性の良い素材であれば、特に限定しない。
【００１９】
最後に、上記第一片１と第二片２とを連結させる連結部分５は、本実施例では、素材の統一感を出すために、第一片１や第二片２と同じ合成皮革を使用するが、その他チェーンや、伸縮自在の弾性素材等を使用しても良い。
【実施例２】
【００２０】
次に説明する別態様の留め具７は、図４及び図５に示すように、第一片１と第二片２が連結部５を介して連結されて構成されている点は共通するが、クリップ構造部分に別途、永久磁石に吸着する吸着体又は永久磁石を取り付けず、クリップ構造部分自体が永久磁石に吸着する吸着体又は永久磁石になっている態様である。
【００２１】
こうすれば、実施例１と同様の効果に加え、デザイン的には特に側面からの見た目がシンプルで、製造コストを安価に抑えるメリットが生じる。
【００２２】
こうして完成させた留め具７を使用するには、第二片２の内側に備わるクリップ構造の留め具３をバッグの一端に留め、バッグ開口部を閉じた状態で外側より第一片１を第二片２に近付け吸着させて使用する。
【００２３】
なお、本実施例では、第一片側に永久磁石を使用しているが、本考案の趣旨より、第一片側に永久磁石に吸着する吸着体留め具を用いた場合は、対する第二片には永久磁石が使用されうる。
【００２４】
このように、好ましい実施例を挙げて本考案を説明したが、本考案はその実施例に限定されるものではなく、本考案の要旨の範囲内で種々に組み合わせや改変できる。
【図面の簡単な説明】
【００２５】
【図１】本考案に係る使用例である。
【図２】本考案に係る内側の構造を示す図である。
【図３】本考案に係る構造を側面から示す図である。
【図４】本考案に係る内側の構造を示す別態様の図である。
【図５】本考案に係る構造を側面から示す別態様図である。
【符号の説明】
【００２６】
１  第一片
２  第二片
３  クリップ構造
４  永久磁石
５  連結部分
６  永久磁石に吸着する吸着体
７  留め具
【図１】
0003179745.tif 000003
【図２】
0003179745.tif 000004
【図３】
0003179745.tif 000005
【図４】
0003179745.tif 000006
【図５】
0003179745.tif 000007